【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
脊柱を処置するための手術キットにおいて、
脊柱の多数のレベルを横切って配置されるように形状づけられた複数の細長い支持素子であって、同細長い支持素子の少なくとも１つが第１の材料で形成され、上記細長い支持素子の少なくとも他の１つが上記第１の材料とは異なる第２の材料で形成されるような複数の細長い支持素子と；
脊柱に対して多数の上記細長い支持素子を係合させるように形状づけられた複数の固定素子と；
を有することを特徴とする手術キット。
【請求項２】
上記第１の材料が第１の弾性係数を有し、上記第２の材料が第１の弾性係数とは異なる第２の弾性係数を有することを特徴とする請求項１に記載の手術キット。
【請求項３】
第１の弾性係数と第２の弾性係数との間の比が少なくとも約１ないし１．０５であることを特徴とする請求項２に記載の手術キット。
【請求項４】
第１の弾性係数と第２の弾性係数との間の比が少なくとも約１ないし１．２５であることを特徴とする請求項３に記載の手術キット。
【請求項５】
第１の弾性係数と第２の弾性係数との間の比が少なくとも約１ないし２であることを特徴とする請求項４に記載の手術キット。  
【請求項６】
上記第１の材料がチタン及びプラスチック材料からなるグループから選択されることを特徴とする請求項１に記載の手術キット。
【請求項７】
上記第１の材料が商業的に純粋なチタンであることを特徴とする請求項６に記載の手術キット。
【請求項８】
上記第１の材料がＰＥＥＫであることを特徴とする請求項６に記載の手術キット。
【請求項９】
上記第２の材料がＣｏ及びＣｒを含む合金であることを特徴とする請求項６に記載の手術キット。
【請求項１０】
上記第２の材料がＣｒ−Ｃｏであることを特徴とする請求項９に記載の手術キット。
【請求項１１】
上記第２の材料の第２の弾性係数がステンレス鋼の弾性係数と実質上同様であることを特徴とする請求項６に記載の手術キット。
【請求項１２】
上記第２の材料がチタン合金であることを特徴とする請求項６に記載の手術キット。
【請求項１３】
上記チタン合金がＴｉ−６Ａｌ−４Ｖであることを特徴とする請求項１２に記載の手術キット。
【請求項１４】
上記第２の材料がＭＰ３５Ｎであることを特徴とする請求項６に記載の手術キット。
【請求項１５】
上記第１の材料がチタンであり；上記第２の材料がＣｒ−Ｃｏ、Ｃｏ−Ｃｒ−Ｍｏ、Ｔｉ−６Ａｌ−４Ｖ及びＭＰ３５Ｎからなるグループから選択されることを特徴とする請求項１に記載の手術キット。
【請求項１６】
上記第１の材料がチタンであり；上記第２の材料がプラスチック材料であることを特徴とする請求項１に記載の手術キット。
【請求項１７】
上記プラスチック材料がＰＥＥＫであることを特徴とする請求項１６に記載の手術キット。
【請求項１８】
上記細長い支持素子が脊椎ロッドであることを特徴とする請求項１に記載の手術キット。
【請求項１９】
上記固定素子が骨スクリューであることを特徴とする請求項１に記載の手術キット。
【請求項２０】
上記固定素子が更に上記骨スクリューを上記細長い支持素子に結合するための多数のコネクタ素子を有することを特徴とする請求項１９に記載の手術キット。
【請求項２１】
上記固定素子が脊椎フックであることを特徴とする請求項１に記載の手術キット。
【請求項２２】
上記複数の固定素子が上記第１及び第２の材料の各々に対して生物的適合性の第３の材料で形成されることを特徴とする請求項１に記載の手術キット。
【請求項２３】
上記第１及び第２の材料が各々チタン適合性の材料であり；
上記第３の材料がチタン、チタン合金、及び、Ｃｏ及びＣｒを含む合金からなるグループから選択される；
ことを特徴とする請求項２２に記載の手術キット。
【請求項２４】
上記第１及び第２の材料がチタン、チタン合金、ＭＰ３５Ｎ、Ｃｏ及びＣｒを含む合金、及び、ＰＥＥＫからなるグループから選択されることを特徴とする請求項２２に記載の手術キット。
【請求項２５】
脊柱を処置するためのシステムにおいて、
脊柱の多数のレベルを横切って配置されるように形状づけられた複数の細長い支持素子であって、同細長い支持素子の少なくとも１つが第１の弾性係数を有する第１の材料で形成され、上記細長い支持素子の少なくとも他の１つが第１の弾性係数とは異なる第２の弾性係数を有する第２の材料で形成されるような複数の細長い支持素子と；
脊柱に対して多数の上記細長い支持素子を係合させるように形状づけられた複数の固定素子と；
を有することを特徴とするシステム。
【請求項２６】
第１の弾性係数と第２の弾性係数との間の比が少なくとも約１ないし１．０５であることを特徴とする請求項２５に記載のシステム。
【請求項２７】
第１の弾性係数と第２の弾性係数との間の比が少なくとも約１ないし２であることを特徴とする請求項２６に記載のシステム。  
【請求項２８】
上記第１の材料がチタン及びプラスチック材料からなるグループから選択されることを特徴とする請求項２５に記載のシステム。
【請求項２９】
上記第２の材料がＣｏ及びＣｒを含む合金であることを特徴とする請求項２８に記載のシステム。
【請求項３０】
上記第２の材料がチタン合金であることを特徴とする請求項２８に記載のシステム。
【請求項３１】
上記第１の材料がチタンであり；上記第２の材料がＣｒ−Ｃｏ、Ｃｏ−Ｃｒ−Ｍｏ、Ｔｉ−６Ａｌ−４Ｖ及びＭＰ３５Ｎからなるグループから選択されることを特徴とする請求項２５に記載のシステム。
【請求項３２】
上記第１の材料がチタンであり；上記第２の材料がプラスチック材料であることを特徴とする請求項２５に記載のシステム。
【請求項３３】
上記複数の固定素子が上記第１及び第２の材料の各々に対して生物的適合性の第３の材料で形成されることを特徴とする請求項２５に記載のシステム。
【請求項３４】
上記第３の材料がチタン及びチタン合金からなるグループから選択されることを特徴とする請求項３３に記載のシステム。
【請求項３５】
脊柱の処置に関連して使用される器具の目録を制御するためのシステムにおいて、
脊柱の多数のレベルを横切って配置されるように形状づけられ、第１の弾性係数を有する第１の材料で形成された細長い支持素子の第１の製品目録と；
脊柱の多数のレベルを横切って配置されるように形状づけられ、第１の弾性係数とは異なる第２の弾性係数を有する第２の材料で形成された細長い支持素子の第２の製品目録と；
脊柱に対して上記細長い支持素子の少なくとも１つを係合させるように形状づけられ、上記第１及び第２の材料の各々に対して生物的適合性の第３の材料で形成された固定素子の第３の製品目録と；
を有することを特徴とするシステム。
【請求項３６】
第１の弾性係数と第２の弾性係数との間の比が少なくとも約１ないし１．０５であることを特徴とする請求項３５に記載のシステム。
【請求項３７】
第１の弾性係数と第２の弾性係数との間の比が少なくとも約１ないし２であることを特徴とする請求項３６に記載のシステム。  
【請求項３８】
上記第１の材料がチタン及びプラスチック材料からなるグループから選択されることを特徴とする請求項３５に記載のシステム。
【請求項３９】
上記第２の材料がＣｏ及びＣｒを含む合金であることを特徴とする請求項３８に記載のシステム。
【請求項４０】
上記第２の材料の第２の弾性係数がステンレス鋼の弾性係数と実質上同様であることを特徴とする請求項３８に記載のシステム。
【請求項４１】
上記第２の材料がチタン合金であることを特徴とする請求項３８に記載のシステム。
【請求項４２】
上記第１の材料がチタンであり；上記第２の材料がＣｒ−Ｃｏ、Ｃｏ−Ｃｒ−Ｍｏ、Ｔｉ−６Ａｌ−４Ｖ及びＭＰ３５Ｎからなるグループから選択されることを特徴とする請求項３５に記載のシステム。
【請求項４３】
上記第１の材料がチタンであり；上記第２の材料がプラスチック材料であることを特徴とする請求項３５に記載のシステム。
【請求項４４】
上記第３の材料がチタン及びチタン合金からなるグループから選択されることを特徴とする請求項３５に記載のシステム。
【請求項４５】
脊柱の処置に関連して使用される器具の目録を制御するための方法において、
脊柱の多数のレベルを横切って配置されるように形状づけられ、第１の弾性係数を有する第１の材料で形成された細長い支持素子の第１の製品目録を提供する工程と；
脊柱の多数のレベルを横切って配置されるように形状づけられ、第１の弾性係数とは異なる第２の弾性係数を有する第２の材料で形成された細長い支持素子の第２の製品目録を提供する工程と；
脊柱に対して上記細長い支持素子の少なくとも１つを係合させるように形状づけられ、上記第１及び第２の材料の各々に対して生物的適合性の第３の材料で形成された固定素子の第３の製品目録を提供する工程と；
を有することを特徴とする方法。
【請求項４６】
第１の弾性係数と第２の弾性係数との間の比が少なくとも約１ないし１．０５であることを特徴とする請求項４５に記載の方法。
【請求項４７】
第１の弾性係数と第２の弾性係数との間の比が少なくとも約１ないし２であることを特徴とする請求項４６に記載の方法。  
【請求項４８】
上記第１の材料がチタン及びプラスチック材料からなるグループから選択されることを特徴とする請求項４５に記載の方法。
【請求項４９】
上記第２の材料がＣｏ及びＣｒを含む合金であることを特徴とする請求項４８に記載の方法。
【請求項５０】
上記第２の材料がチタン合金であることを特徴とする請求項４８に記載の方法。
【請求項５１】
上記第１の材料がチタンであり；上記第２の材料がＣｒ−Ｃｏ、Ｃｏ−Ｃｒ−Ｍｏ、Ｔｉ−６Ａｌ−４Ｖ及びＭＰ３５Ｎからなるグループから選択されることを特徴とする請求項４５に記載の方法。
【請求項５２】
上記第１の材料がチタンであり；上記第２の材料がプラスチック材料であることを特徴とする請求項４５に記載の方法。
【請求項５３】
上記第３の材料がチタン及びチタン合金からなるグループから選択されることを特徴とする請求項４５に記載の方法。
【請求項５４】
脊柱の処置に関連して使用される器具の目録を制御するための方法において、
脊柱の多数のレベルを横切って配置されるように形状づけられ、チタンで形成された細長い支持素子の第１の製品目録を提供する工程と；
脊柱の多数のレベルを横切って配置されるように形状づけられ、Ｃｏ及びＣｒを含む合金で形成された細長い支持素子の第２の製品目録を提供する工程と；
脊柱に対して上記細長い支持素子の少なくとも１つを係合させるように形状づけられ、チタンで形成された固定素子の第３の製品目録を提供する工程と；
を有することを特徴とする方法。